(57)【特許請求の範囲】
【請求項１】
合成樹脂からなる上下層間に可塑剤遮断層を介在させて、これらを積層してなる防水シートであって、前記可塑剤遮断層には、上層と下層との非接触状態を維持させながら、可塑剤遮断層の上層又は下層に対する接触面積を小とする多数の微小空隙が形成されていることを特徴する防水シート。
【請求項２】
合成樹脂からなる上下層間に可塑剤遮断層を介在させて、これらを積層してなる防水シートであって、前記上層は、耐紫外線効果の高い紫外線遮蔽層とされ、前記下層は、柔軟性及び伸縮性の維持効果の高い防水層とされていることを特徴とする防水シート。
【請求項３】
請求項１又は２に記載の防水シートを、屋上或いはバルコニーの床に敷設したことを特徴とする建物。
【発明の詳細な説明】
【０００１】
【発明の属する技術分野】
この発明は、主に建築物の陸屋根、バルコニー等に敷設して、屋外に露出した状態で使用される防水シート及びこれを使用した建物に関するものである。
【０００２】
【従来の技術】
戸建住宅等の陸屋根やバルコニーに露出した状態で敷設される防水シートとしては、製造が簡単で見栄えが良く、しかも安価な塩化ビニル樹脂等の軟質合成樹脂からなるものが一般的である。
【０００３】
このような塩化ビニル樹脂等からなる防水シートは、屋外において露出状態で使用していると、紫外線及び夏場の熱、雨水等の外部環境、さらには温度変化に伴う小さな伸び縮みの繰り返し(疲労)等の影響を受けて、徐々に伸び難くなる。その結果、シート表面に微細なクラックが発生し、このクラックが面内方向すなわち深さ方向へ伝搬して、最終的には、シートが最も伸び難くて収縮が起こる冬場(低温時)に破断してしまうことが多かった。
【０００４】
このような不具合を解消するため、従来においては、シートの中間部すなわち上下層間に補強用の繊維等を介在させて、シートの耐久性及び寸法安定性を高めるといった対策が施されていた。このような補強用の繊維等を介在させたシートに対して、紫外線、熱、水といった各種の負荷を強制的に与える試験を行ったところ、シート表面全体にわたって微細なクラックが発生するが、このクラックは裏面まで達しないことが確認できた。すなわち、補強用の繊維等の中間層には、シート表面に発生したクラックの深さ方向への伝搬を防止する機能があることがわかる。
【０００５】
ところが、このようなシートにおいても、実際に長期使用した場合、全体的に柔軟性を失って硬くなり、最終的には破断してしまうことが多い。これは、紫外線照射による塩化ビニル樹脂の分子鎖の切断、低分子化によって、塩化ビニル樹脂中の可塑剤が徐々に揮散、流出して減少することが原因であるとされている。すなわち、上下層間の中間層として補強用の繊維を使用した場合、上下層が補強用の繊維の隙間を介して直接接触して、上下層間において可塑剤が移行し易くなり、このため可塑剤が上層から徐々に減少し始め、上層の可塑剤が少なくなると、下層の可塑剤が上層へ移行して、最終的にシート全体の可塑剤が減少して硬くなるものと予測される。
【０００６】
そこで、近年では、シート内部に、可塑剤の移行を防止するための可塑剤遮断層を設けるようにした防水シートが提案されている。この種の防水シートでは、可塑剤遮断層として、塩化ビニル樹脂との融着や接着が容易で、しかも上層と下層とを確実に分断することができる合成樹脂フィルムが用いられている。
【０００７】
【発明が解決しようとする課題】
しかしながら、合成樹脂フィルムからなる可塑剤遮断層を備えた防水シートであっても、シート全体が硬化して柔軟性や伸縮性が失われることがある。その原因としては、可塑剤遮断層の合成樹脂フィルムと可塑剤とは物性が近いことから、可塑剤が合成樹脂フィルム中を通過し易くなっているものと考えられる。合成樹脂フィルムの素材や添加物に改良を加えることで、可塑剤の移行阻止機能は高まると予想されるが、現在のところ十分な信頼性を得るまでには至っていない。
【０００８】
そこで、この発明は、上記に鑑み、可塑剤の減少を確実に抑えて、長期にわたって良好な柔軟性を維持し、これによって耐久性の向上を図ることができる防水シート及びこれを使用した建物の提供を目的とする。
【０００９】
【課題を解決するための手段】
上記の課題を解決するため、この発明の防水シートは、合成樹脂からなる上下層間に可塑剤遮断層を介在させて、これらを積層してなる防水シートであって、前記可塑剤遮断層には、上層と下層との非接触状態を維持させながら、可塑剤遮断層の上層又は下層に対する接触面積を小とする多数の微小空隙が形成されていることを特徴する。
【００１０】
また、他の発明の防水シートは、合成樹脂からなる上下層間に可塑剤遮断層を介在させて、これらを積層してなる防水シートであって、前記上層は、耐紫外線効果の高い紫外線遮蔽層とされ、前記下層は、柔軟性及び伸縮性の維持効果の高い防水層とされていることを特徴とする。
【００１１】
この発明の建物は、上記のいずれかの防水シートを、屋上或いはバルコニーの床に敷設したことを特徴とする。
【００１３】
【発明の実施の形態】
以下、この発明の実施形態を図面に基づいて詳細に説明する。この発明の一実施形態に係る防水シート(10)は、図１に示すように、上下層(11)(12)間に、可塑剤遮断層(13)を介在させて、これらを熱融着等によって一体的に積層してなる。
【００１４】
上層(11)は、高分子化した塩化ビニル樹脂からなり、耐紫外線効果の高い紫外線遮蔽層とされている。なお、耐紫外線効果を高める方法としては、樹脂の高分子化に限らず、例えば高分子添加剤を適正量配合するようにしても良い。また、上層(11)は、単層に限らず複層であっても良い。
【００１５】
下層(12)は、高分子化した可塑剤を含む塩化ビニル樹脂からなり、柔軟性及び伸縮性の維持効果の高い防水層とされている。なお、柔軟性及び伸縮性を高める方法としては、可塑剤の高分子化に限らず、例えば塩化ビニル樹脂に含まれる可塑剤を増量しても良い。また、下層(12)は、単層に限らず複層であっても良い。
【００１６】
なお、上下層(11)(12)の層厚は、夫々０．５〜１．５ｍｍの範囲に設定されており、上下層(11)(12)の層厚の比は、３：７〜７：３の範囲に設定されている。具体的には、上層(11)の層厚が約１ｍｍ、下層(12)の層厚が約０．７ｍｍに設定されている。
【００１７】
可塑剤遮断層(13)は、上下層(11)(12)との接着性が良好な鉄又はその他の金属の箔又は板材からなり、上層(11)と下層(12)を確実に分断してこれらが直接接触しないように、上下層(11)(12)間に介在されている。可塑剤遮断層(13)としては、このような金属箔や金属板材に限定されるものではなく、上層(11)と下層(12)とを直接接触させなければ、或いは接触させたとしてもその接触面積が小さければ、繊維状、粒状若しくは粉状に形成した金属類を用いるようにしても良い。また、金属類以外の無機質材料を、金属類と同様にして用いるようにしても良い。
【００１８】
図２は、このようにして構成された防水シート(10)の長期使用による劣化の推移を示しており、紫外線遮蔽層である上層(11)は、可塑剤が徐々に減少してクラックが発生するものの、紫外線は遮蔽する。クラックが可塑剤遮断層(13)まで達しても、紫外線が通るような上層(11)の剥離はない。従って、長期にわたって耐紫外線効果が維持される。
【００１９】
可塑剤遮断層(13)は、上層(11)に生じたクラックの下層(12)への伝搬を防止するとともに、下層(12)から上層(11)への可塑剤の移行を阻止する。従って、下層(12)における可塑剤の減少はほとんどなく、下層(12)は長期にわたって良好な柔軟性及び伸縮性を維持し、防水効果がいつまでも持続する。なお、金属箔等の無機質材料からなる可塑剤遮断層(13)が、可塑剤の移行を確実に阻止する理由としては、無機質材料と可塑剤とは物性が全く異なり、可塑剤遮断層(13)中を可塑剤が移動できない状態となっているものと考えられる。
【００２０】
図３は、上記の防水シート(10)(10)…を施工した建物を示している。この建物においては、屋上(20)の非歩行タイプの床、バルコニー(21)(22)の歩行タイプの床、さらには下屋(23)の表面に、上記の防水シート(10)(10)…を敷設している。
【００２１】
図４は、屋上(20)の非歩行タイプの床への防水シート(10)の施工状態を示している。図において、(25)はＡＬＣ、(26)は勾配断熱材である。なお、歩行タイプの床の場合には、防水シート(10)の表面に、さらに床仕上げ材等が敷設されることもある。このように、上記の防水シート(10)(10)…を敷設することで、長期にわたって優れた防水性を有する建物とすることができる。
【００２２】
図５は、他の実施形態に係る防水シート(30)を示している。この防水シート(30)の可塑剤遮断層(31)は、多数の合成樹脂製の粒体(32)(32)…から構成されている。そして、この可塑剤遮断層(31)には、上層(11)と下層(12)との非接触状態を維持させながら、可塑剤遮断層(31)の上下層(11)(12)に対する接触面積を小とする多数の微小空隙(33)(33)…が形成されている。なお、この防水シート(30)における上下層(11)(12)の構成は、上記の防水シート(10)と同様であり、この防水シート(30)も防水シート(10)と同様に建物に敷設される。
【００２３】
可塑剤遮断層(31)をこのように形成することで、上層(11)に生じたクラックの下層(12)への伝搬を防止するとともに、下層(12)から可塑剤遮断層(31)を通って上層(11)へ抜ける可塑剤の通り道が少なくなって、下層(12)における可塑剤の減少を低減することができる。従って、合成樹脂製の可塑剤遮断層(31)が用いられているにもかかわらず、下層(12)は長期にわたって良好な柔軟性及び伸縮性を維持し、防水効果がいつまでも持続する。
【００２４】
なお、可塑剤遮断層(31)としては、粒体(32)(32)…の集合体に限らず、上層(11)と下層(12)との非接触状態を維持させながら、可塑剤遮断層(31)の上層(11)又は下層(12)に対する接触面積を小とする多数の微小空隙(33)(33)…を形成するものであれば、例えば繊維状、粉状であっても良い。
【００２５】
図６及び図７は、可塑剤遮断層(31)を介在させた防水シート(30)、及び補強用の繊維を介在させた防止シート(以下、「繊維複合シート」と称する。)に対して、紫外線照射試験を行ったときの双方の表面状態(照射時間1800ｈｒ)と、双方の伸び率の変化を示す。試験結果から、繊維複合シートでは、紫外線照射とともに上層におけるクラックの発生(図６(ａ)参照)と、伸び率の急激な低下(図７(ａ)参照)が認められる。一方、防水シート(30)の場合には、上層(11)におけるクラックの発生は、繊維複合シートよりもひどくなっている(図６(ｂ)参照)ものの、伸び率の低下は、繊維複合シートに比べて格段に抑えられている(図７(ｂ)参照)。つまり、防水シート(30)では、下層(12)から上層(11)への可塑剤の移行がほとんどなく、そのため上層(11)においては劣化が激しくなるが、下層(12)においては劣化が少なく柔軟性を保持していることがわかる。
【００２６】
この発明は、上記実施形態に限定されるものではなく、この発明の範囲内で上記実施形態に多くの修正及び変更を加え得ることは勿論である。
【００２７】
【発明の効果】
以上の説明から明らかなように、この発明の防水シートは、合成樹脂からなる上下層間に、多数の微小空隙が形成された可塑剤遮断層を介在させているので、上層に生じたクラックの下層への伝搬を防止するとともに、下層から上層への可塑剤の移行を確実に阻止して、下層における可塑剤の減少を抑えることができ、下層において良好な柔軟性及び伸縮性が長期わたって維持され、耐久性を向上することができる。
【００２８】
また、上層を耐紫外線効果の高い紫外線遮蔽層とし、下層を柔軟性及び伸縮性の維持効果の高い防水層として、上下層に対して全く異なる機能を負担させ、これら上下層間に、可塑剤の移行防止機能を持った可塑剤遮断層を介在させているので、下層における可塑剤の減少に伴う劣化を大幅に遅らせることができ、これによって耐久性を向上することができる。
【００２９】
さらに、これら防水シートを、建物の屋上或いはバルコニーの床に敷設すれば、長期にわたって優れた防水性を有する建物とすることができる。
【図面の簡単な説明】
【図１】この発明の一実施形態に係る防水シートの断面図である。
【図２】防水シートの長期使用による劣化の推移を示す図である。
【図３】防水シートを敷設した建物を示す概略図である。
【図４】屋上の床の縦断面図である。
【図５】  (ａ)は、他の防水シートの断面図、(ｂ)は、同じくその可塑剤遮断層部分の拡大断面図である。
【図６】  (ａ)は、繊維複合シートの紫外線照射試験後の表面状態を示す写真、(ｂ)は、この発明の防水シートの紫外線照射試験後の表面状態を示す写真である。
【図７】  (ａ)は、紫外線照射試験における繊維複合シートの伸び率の変化を示す図、(ｂ)は、紫外線照射試験におけるこの発明の防水シートの伸び率の変化を示す図である。
【符号の説明】
(10)(30)  防水シート
(11)  上層
(12)  下層
(13)(31)  可塑剤遮断層
(20)  屋上
(21)(22)  バルコニー
(33)  微小空隙
【図１】
0003841266.tif 000002
【図２】
0003841266.tif 000003
【図３】
0003841266.tif 000004
【図４】
0003841266.tif 000005
【図５】
0003841266.tif 000006
【図６】
0003841266.tif 000007
【図７】
0003841266.tif 000008